(57)【要約】【課題】走査信号線に対して画素電極がずれて形成されても、隣接画素部において走査信号線−画素電極間の容量を変化させず、高品位な表示を得る。【解決手段】走査信号線１１ａ，１１ｂと画素電極１５ａ，１５ｂとの形状を、走査信号線方向の中心線に対して線対称の形状とする。各画素部１４ａ，１４ｂにおいて、上下の走査信号線１１ａ，１１ｂと画素電極１５ａとが重なっている面積および近接している長さが等しくなる。したがって、走査信号線１１ａ，１１ｂに対して画素電極１５ａ，１５ｂが例えば左上にずれて形成された場合にも、両画素部１４ａ，１４ｂにおいて走査信号線−画素電極間の容量（ｃｇｄ＋ｃｄｇｏ）は等しくなる。【選択図】　図２
2004046008.tif 000002
【特許請求の範囲】
【請求項１】
複数の走査信号線と複数のデータ信号線とが互いに交叉して配設され、両信号線で囲まれた領域毎に画素電極が設けられ、該データ信号線を挟んで両側に設けられる隣接画素電極の一方が、隣接する走査信号線の一方に接続され、該隣接画素電極の他方が、隣接する走査信号線の他方に接続されており、選択された走査信号線に対応した該画素電極に該データ信号線からデータ信号が供給されることにより画面表示する表示装置において、
該走査信号線および該画素電極のうちの少なくとも一方の形状が、該走査信号線と同一方向の中心線に対して線対称の形状となっている表示装置。
【請求項２】
前記画素電極の線対称形状は、隣接する二つの走査信号線の中間に位置する中心線であって該走査信号線と同一方向の該中心線に対して線対称の形状である表示装置。
【請求項３】
表示媒体を挟んで対向配置される一対の基板のうちの一方の基板に、前記走査信号線に制御端子が接続され、前記データ信号線と画素電極間を導通可能とするスイッチング素子が該走査信号線、データ信号線および画素電極と共に設けられ、他方の基板に対向電極が設けられ、該対向電極に対向電圧を印加し、該走査信号線に走査信号を供給して導通状態となった該スイッチング素子を介してデータ信号線から該画素電極にデータ信号を供給する請求項１または２記載の表示装置。
【請求項４】
前記データ信号線を挟んで両側に隣接する二つのスイッチング素子は、チャネル長方向が等しく、チャネル幅方向が逆方向に配設されている請求項３記載の表示装置。
【請求項５】
前記データ信号および対向電圧は１水平走査期間毎に極性が反転する交流電圧である請求項３記載の表示装置。
【発明の詳細な説明】
【０００１】
【発明の属する技術分野】
本発明は、例えばテレビジョン放送などの受信画像、デジタルカメラなどによる撮像画像および、インターネットを介して取得された通信画像などを画面表示するアクティブマトリクス方式の液晶表示装置などの表示装置に関する。
【０００２】
【従来の技術】
従来、テレビジョン放送などを受信した画像を表示する表示装置として、アクティブマトリクス駆動方式の液晶表示装置が用いられている。
【０００３】
図４は、従来の一般的なアクティブマトリクス駆動方式の液晶表示装置の概略構成を示すブロック図であり、図５（ａ）は図４の液晶表示装置を構成する画素電極板の隣接２画素分の構成を模式的に示す上面図であり、図５（ｂ）は図４の液晶表示装置の画素電極基板における２画素分の構成を示す等価回路図である。
【０００４】
図４において、液晶表示装置１００は、表示画面を構成する液晶パネル１０１と、後述する走査信号線１１１を選択駆動するスキャンドライバ１０２と、後述するデータ信号線１１２を選択駆動するセグメントドライバ１０３と、周期的に極性が反転する反転映像信号をセグメントドライバ１０３に供給する映像信号反転回路１０４と、各ドライバや回路のタイミングを制御するタイミングコントロール回路１０５と、対向電圧を後述する対向電極および補助容量信号線１１３に印加する対向電圧印加回路１０６とを有している。
【０００５】
液晶パネル１０１は、図５（ａ）および図５（ｂ）に示すように、複数の走査信号線１１１と複数のデータ信号線１１２とが互いに交叉して設けられており、隣接する２本の走査信号線１１１ａ，１１１ｂの中間位置でこれらと平行に補助容量信号線１１３が設けられている。各走査信号線１１１と各データ信号線１１２とで囲まれた領域毎に画素部１１４がそれぞれ設けられている。複数の画素部１１４がマトリクス状に設けられている。
【０００６】
この各画素部１１４にはそれぞれ画素電極１１５とスイッチング素子であるＦＴ１１６とがそれぞれ設けられている。各画素部１１４毎に、画素電極板１１５と対向電極板間に表示媒体としての液晶層（図示せず）が挟持されている。
【０００７】
データ信号線１１２を挟んで両側に隣接する二つの画素部１１４ａ，１１４ｂにおいて、各ＴＦＴ１１６ａ，１１６ｂの制御端子（ゲート電極）はそれぞれ、隣接する２本の走査信号線１１１ａ，１１１ｂとそれぞれ接続されている。また、一方の画素電極１１５ａは、その上側を通る走査信号線１１１ａにゲート電極が接続されたＴＦＴ１１６ａを介してデータ信号線１１２ａと導通可能に接続されている。また、他方の画素電極１１５ｂは、その下側を通る走査信号線１１１ｂにゲート電極が接続されたＴＦＴ１１６ｂを介してデータ信号線１１２ｂと導通可能に接続されている。
【０００８】
また、対向基板の一面に対向電極１１７（図１参照）が形成されており、この対向電極１１７は、画素電極基板に設けられた各画素電極１１５に対する共通電極となっている。
【０００９】
液晶パネル１０１において、画素部１１４ａの画素容量は、画素電極板に設けられた画素電極１１５ａと対向電極板に設けられた対向電極１１７との間に挟持される液晶層部分の容量である液晶容量Ｃｌｃ１１８ａ、および画素電極１１５ａと補助容量信号線１１３との間に設けられる絶縁膜部分の容量である補助容量Ｃｃｓ１１９ａとによって構成されている。また、画素部１１４ｂの画素容量は、画素電極板に設けられた画素電極１１５ｂと対向電極板に設けられた対向電極１１７との間に挟持される液晶層部分の容量である液晶容量Ｃｌｃ１１８ｂ、および画素電極１１５ｂと補助容量信号線１１３との間に設けられる絶縁膜部分の容量である補助容量Ｃｃｓ１１９ｂとによって構成されている。さらに、図中左側の画素電極１１５ａと走査信号線１１１ａ，１１１ｂとの間にはそれぞれ寄生容量Ｃｇｄ１２０およびＣｇｄｏ１２１がそれぞれ形成され、これと同様に、図中右側の画素電極１１５ｂと走査信号線１１１ａ，１１１ｂとの間にもそれぞれ寄生容量Ｃｇｄｏ１２１およびＣｇｄ１２０がそれぞれ形成されている。
【００１０】
上記液晶パネル１０１において、画素電極板に設けられた各走査信号線１１１は、液晶パネル１０１の周囲に設けられたスキャンドライバ１０２に接続されている。このスキャンドライバ１０２は、シフトレジスタによって構成され、ＴＦＴ１１６を導通（ＯＮ）状態にするための走査信号を各走査信号線１１１に順次出力する。
【００１１】
また、画素電極板に設けられた各データ信号線１１２は、液晶パネル１０１の周囲に設けられたセグメントドライバ１０３に接続されている。このセグメントドライバ１０３は、映像信号反転回路１０４を介して入力された映像信号をサンプリングして、１水平走査線分のデータ信号を各データ信号線１１２にそれぞれ出力する。
【００１２】
さらに、対向電極板に設けられた対向電極１１７および画素電極電極板に設けられた補助容量信号線１１３は、液晶パネル１０１の周囲に設けられた対向電圧印加回路１０６に接続されている。この対応電圧印加回路１０６は、データ信号の基準となる対向電圧を、対向電極および補助容量信号線１１３に常に印加している。
【００１３】
なお、上記スキャンドライバ１０２、セグメントドライバ１０３、映像信号反転回路１０４および対向電圧印加回路１０６のそれぞれの動作タイミングは、映像信号から分離された同期信号に基づいて、タイミングコントロール回路１０５によって制御されている。
【００１４】
上記構成により、以下、従来の液晶表示装置１００の動作について説明する。
【００１５】
図６は、従来のアクティブマトリクス駆動方式の液晶表示装置の動作タイミングを説明するための信号波形図である。
【００１６】
図６（ａ）および図６（ｂ）に示すように、各走査信号線１１１には、スキャンドライバ１０２によって、１本目から順次、水平走査期間ＴＨずつ遅れた走査信号が順次出力される。この走査信号は、各走査信号線１１１に対して、垂直走査期間ＴＶ毎に繰り返し供給される。
【００１７】
図６（ｃ）に示すように、対向信号として、対向電極１１７および補助容量信号線１１３には、対向電圧印加回路１０６によって、水平走査期間ＴＨ毎に極性が反転すると共に、垂直走査期間ＴＶ毎にも極性が反転する交流電圧が出力されている。
【００１８】
また、図６（ｄ）に示すように、各データ信号線１１２には、セグメントドライバ１０３によって、水平走査期間ＴＨ毎に極性が反転すると共に、垂直走査期間ＴＶ毎にも極性が反転するデータ信号が出力されている。このデータ信号は、対向信号に対して反対の極性を有する信号である。
【００１９】
上記走査信号がＨレベルである期間に、そのＨレベルの走査信号が供給されている走査信号線１１１に接続されているＴＦＴ１１６が順次導通状態となり、データ信号線１１２に供給される上記データ信号が、データ信号線１１２から導通状態のＴＦＴ１１６を介して各画素電極１１５に供給される。これによって、図６（ｅ）および図６（ｆ）に示すように、各画素電極１１５と対向電極１１７との間に挟持されている液晶容量Ｃｌｃに対して、画素電極１１５と上記対向電極１１７との電圧差が印加される。
【００２０】
この液晶印加電圧は、水平走査期間ＴＨを経過して、ＴＦＴ１１６が遮断（ＯＦＦ）状態となった後にも、垂直走査期間ＴＶ後に再びＴＦＴ１１６が導通状態になるまで、各画素部１１４の画素容量を構成する液晶容量Ｃｌｃおよび補助容量Ｃｃｓなどによって保持されている。このため、図６（ｅ）および図６（ｆ）に示すように、各画素電極１１５ａ，１１５ｂの液晶容量Ｃｌｃ１１８ａ，１１８ｂには、ＴＦＴ１１６ａ，１１６ｂが導通状態になっている水平走査期間ＴＨだけではなく、その後も、垂直走査期間ＴＶの全期間にわたって映像信号が印加される。
【００２１】
この動作が、全ての走査信号線１１１に対して行われ、１画面分の映像が表示表示される。
【００２２】
ところで、図５（ｂ）に示すように、画素電極１１５ａと走査信号線１１１ａとの間には寄生容量Ｃｇｄ１２０が存在するため、ＴＦＴ１１６ａに入力される走査信号（図６（ａ））が、ＨレベルからＬレベルに切り替わると、画素部１１４ａの総容量と、寄生容量Ｃｇｄ１２０との比によって、図６（ｅ）に示すΔＶｇ１のように、液晶印加電圧１は、走査信号のＬレベルに引き込まれる。同様に、画素電極１１５ｂと走査信号線１１１ｂとの間にも寄生容量Ｃｇｄ１２０が存在するため、ＴＦＴ１１６ｂに入力される走査信号（図６（ｂ））が、ＨレベルからＬレベルに切り替わると、画素部１１４ｂの総容量と、寄生容量Ｃｇｄ１２０との比によって、図６（ｆ）に示すΔＶｇ１のように、液晶印加電圧２は、走査信号のＬレベルに引き込まれる。一般に、この引込み量ΔＶｇ１は、下記式（１）によって求められる。
【００２３】
2004046008.tif 000003
Ｖｇｈ：走査信号のＨレベルの電圧
Ｖｇｌ：走査信号のＬレベルの電圧
そこで、対向電圧印加回路１０６によって対向電極１１７に印加される対向電圧（対向信号）としては、通常、データ信号のオフセット電圧よりもΔＶｇ１だけ下げた電圧が設定されている。
【００２４】
また、図６（ｃ）に示す対向信号は、図６（ｄ）に示すデータ信号の振幅を小さくするために交流駆動されている。ここで、ＴＦＴ１１６が遮断（ＯＦＦ）状態のときには、図６（ｅ）に示す液晶印加電圧１は、対向信号（図６（ｃ））に追従して変化しないはずである。しかしながら、実際には、図５（ｂ）に示すように、画素電極１１５ａと走査信号線１１１ａ，１１１ｂとの間に寄生容量Ｃｇｄ１２０およびＣｇｄｏ１２１が存在するため、対向信号（図６（ｃ））が変化すると、画素部１１４ａの総容量と、寄生容量Ｃｇｄ１２０およびＣｇｄｏ１２１との比によって、図６（ｅ）に示すΔＶｇ２のように、液晶印加電圧１は変化する。同様に、図５（ｂ）に示すように、画素電極１１５ｂと走査信号線１１１ａ，１１１ｂとの間に寄生容量Ｃｇｄｏ１２１およびＣｇｄ１２０が存在するため、対向信号（図６（ｃ））が変化すると、画素部１１４ｂの総容量と、寄生容量Ｃｇｄｏ１２１およびｃｇｄ１２０との比によって、図５（ｆ）に示すΔＶｇ２のように、液晶印加電圧２は変化する。一般に、この引込み量ΔＶｇ２は、下記式（２）によって求められる。
【００２５】
2004046008.tif 000004
Ｖｃｓｈ：対向信号のプラスの電圧
Ｖｃｓｌ：対向信号のマイナスの電圧
また、液晶を直流駆動すると寿命が短くなるため、図４に示す映像信号反転回路１０４によって、セグメントドライバ１０３に入力される映像信号の極性を、垂直走査期間ＴＶ毎に反転させている。さらに、映像信号反転回路１０４では、フリッカを見えにくくするために、水平走査期間ＴＨ毎に極性を反転させており、図６（ｄ）に示すような交流駆動を行っている。
【００２６】
ところが、液晶表示装置の低消費電力化を図るために、垂直走査期間ＴＶを長くして、液晶に電圧を印加する周期を長くすることがあり、このような場合には、上述したように水平走査期間ＴＨ毎に極性を反転させても、フリッカが見えやすくなる。
【００２７】
そこで、上述したように映像信号を水平走査期間ＴＨ毎に極性を反転させると共に、図６（ａ）および図６（ｂ）に示すように、例えばデータ信号線１１２ｂを挟んで左右に隣接する画素部１１４ａ，１１４ｂにおいて、ＴＦＴ１１６ａ，１１６ｂをそれぞれ、上下に隣接する走査信号線１１１ａ，１１１ｂにそれぞれ接続する構成が用いられている。これによって、左右に隣接する画素部１１４ａ，１１４ｂが選択されるタイミングが水平走査期間ＴＨだけずれるため、実質的に左右に隣接する画素部１１４ａ，１１４ｂに供給される映像信号の極性が反転され、さらにフリッカが見えにくくなる。
【００２８】
【発明が解決しようとする課題】
しかしながら、図５（ａ）および図５（ｂ）に示す構成では、隣り合う走査信号線１１１ａ，１１１ｂに対して画素電極１１５ａ，１１５ｂが例えば左上方向にずれた場合、データ信号線１１２ｂを挟んで両側に隣接する画素部１１４ａ，１１４ｂのうち、左側の画素部１１４ａでは、容量Ｃｇｄ１２０は大きくなり、容量Ｃｇｄｏ１２１は小さくなる。また、右側の画素部１１４ｂでは、容量Ｃｇｄｏ１２１は大きくなり、容量Ｃｇｄ１２０は小さくなる。
【００２９】
ところが、画素電極１１５ａと走査信号線１１１ａ，１１１ｂとが重なっている面積および近接している長さは、Ｃｇｄ１２０側（図中上側の走査信号線１１１ａ側）とＣｇｄｏ１２１側（図中下側の走査信号線１１１ｂ側）とで異なり、また、画素電極１１５ｂと走査信号線１１１ａ，１１１ｂとが重なっている面積および近接している長さは、Ｃｇｄ１２０側（図中下側の走査信号線１１１ｂ）とＣｇｄｏ１２１側（図中上側の走査信号線１１１ａ）とで異なるため、走査信号線１１１ａ，１１１ｂに対して画素電極１１５ａ，１１５ｂがずれて形成された場合には、隣り合う画素部１１４ａ，１１４ｂにおいて、図中左側の容量和Ｃｇｄ１２０＋Ｃｇｄｏ１２１と、図中右側のＣｇｄ１２０＋Ｃｇｄｏ１２１とは異なる値となる。このため、走査信号線１１１ａ，１１１ｂに対して画素電極１１５ａ，１１５ｂがずれて形成された場合に、上記式（２）によって求められるΔＶｇ２の値が左右に隣り合う画素部１１４ａ，１１４ｂで異なり、液晶印加電圧が変わるため、市松模様の表示ムラが生じることになる。
【００３０】
本発明は、上記従来の問題を解決するもので、走査信号線に対して画素電極がずれて形成されても、隣接する画素部において走査信号線−画素電極間の容量を変化させず、高品位な表示を得ることができる表示装置を提供することを目的とする。
【００３１】
【課題を解決するための手段】
本発明の表示装置は、複数の走査信号線と複数のデータ信号線とが互いに交叉して配設され、両信号線で囲まれた領域毎に画素電極が設けられ、データ信号線を挟んで両側に設けられる隣接画素電極の一方が、隣接する走査信号線の一方に接続され、隣接画素電極の他方が、隣接する走査信号線の他方に接続されており、選択された走査信号線に対応した該画素電極にデータ信号線からデータ信号が供給されることにより画面表示する表示装置において、走査信号線および該画素電極のうちの少なくとも一方の形状が、走査信号線と同一方向の中心線に対して線対称の形状となっているものであり、そのことにより上記目的が達成される。
【００３２】
また、好ましくは、本発明の表示装置における画素電極の線対称形状は、隣接する二つの走査信号線の中間に位置する中心線であって該走査信号線と同一方向の該中心線に対して線対称の形状である。
【００３３】
さらに、好ましくは、本発明の表示装置において、表示媒体を挟んで対向配置される一対の基板のうちの一方の基板に、走査信号線に制御端子が接続され、データ信号線と画素電極間を導通可能とするスイッチング素子が走査信号線、データ信号線および画素電極と共に設けられ、他方の基板に対向電極が設けられ、対向電極に対向電圧を印加し、走査信号線に走査信号を供給して導通状態となったスイッチング素子を介してデータ信号線から該画素電極にデータ信号を供給する。
【００３４】
さらに、好ましくは、本発明の表示装置において、データ信号線を挟んで両側に隣接する二つのスイッチング素子は、チャネル長方向が等しく、チャネル幅方向が逆方向に配設されている。
【００３５】
さらに、好ましくは、本発明の表示装置におけるデータ信号および対向電圧は１水平走査期間毎に極性が反転する交流電圧である。
【００３６】
上記構成により、以下に、本発明の作用について説明する。
【００３７】
本発明においては、走査信号線および画素電極の形状を、走査信号線方向の中心線（走査信号線の中心線および画素電極の中心線）に対して線対称の形状とすることによって、各画素部において、一方（例えば上側）の走査信号線と画素電極とが重なっている面積および近接している長さと、他方（例えば下側）の走査信号線と画素電極とが重なっている面積および近接している長さとを、同じ面積および長さに設定することが可能となる。
【００３８】
このため、走査信号線に対して画素電極がずれて形成された場合に、データ信号線を挟んで隣接する画素部のうち、一方の画素部（例えば左側の画素部）では一方の走査信号線−画素電極間の容量が増加して他方の走査信号線−画素電極間の容量が減少することになり、他方の画素部（例えば右側の画素部）では一方の走査信号線−画素電極間の容量が減少して他方の走査信号線−画素電極間の容量が増加することになり、両画素部において走査信号線−画素電極間の容量を等しい容量とすることが可能となる。
【００３９】
したがって、データ信号の振幅を小さくするために対向電極に供給される対向信号を交流駆動した場合に、対向信号の反転による液晶印加電圧の変動量（ΔＶｇ２）が、データ信号線を挟んで隣接する画素部で同じとなり、従来技術のような市松模様の表示ムラは生じない。
【００４０】
また、データ信号線に１水平走査期間毎に極性が反転するデータ信号を供給することによって、フリッカを見えにくくすることが可能となる。この場合、データ信号線を挟んで隣接する二つのスイッチング素子（ＴＦＴ）を、チャネル長方向を等しく、チャネル幅方向を逆方向に配設して、例えば一方のスイッチング素子を隣接する走査信号線のうちの一方（例えば上側）の走査信号線に接続し、他方のスイッチング素子を他方（例えば下側）の走査信号線に接続することによって、データ信号線を挟んで隣接する画素電極にそれぞれ極性が反対の映像信号を供給して、フリッカをさらに見えにくくすることが可能となる。
【００４１】
【発明の実施の形態】
以下に、本発明のひょ時装置の実施形態を、液晶表示装置に適用した場合について図面を参照しながら説明する。なお、以下の説明では、テレビジョン放送などを受信した映像や画像を液晶パネルに表示する液晶表示装置について説明するが、本発明はこれに限るものではなく、デジタルカメラなどによって撮像された映像や、インターネットを介して取得された画像などを表示する液晶表示装置などの表示装置に本発明を適用することも可能である。
【００４２】
図１は、本発明２の液晶表示装置の一実施形態における要部構成を示すブロック図である。また、図２（ａ）は、図１の液晶表示装置を構成する画素電極板の隣接２画素分の要部構成を模式的に示す上面図であり、図２（ｂ）はその画素電極基板の隣接２画素分の構成を示す等価回路図である。なお、図４、図５（ａ）および図５（ｂ）に示す従来の構成部材と同一の作用効果を奏する部材には同一の符号を付してその説明を省略する。
【００４３】
図１において、本実施形態の液晶表示装置１０において、図４に示す従来の液晶表示装置１００と異なる点は、図２（ａ）に示すように、画素電極板に設けられた走査信号線１１と画素電極１５とがそれぞれ、走査線方向と同一方向の各中心線に対して線対称となっていることである。この各中心線とは線対称となる走査信号線１１の中心線であり、線対称となる画素電極１５の中心線である。
【００４４】
この図２（ａ）に示す例では、走査信号線１１ａは画素部１４ａ，１４ｂにおいて下側に突出する分岐部を有すると共に、画素部１４ａ，１４ｂの上側に隣接する各画素部において上側に突出する分岐部を有しており、十字型が連続した形状となっている。また、走査信号線１１ｂも画素部１４ａ，１４ｂにおいて上側に突出する分岐部を有すると共に、画素部１４ａ，１４ｂの下側に隣接する各画素部において下側に突出する分岐部を有しており、十字型が連続した形状となっている。よって、走査信号線１１ａ，１１ｂは走査線方向の中心線に対して線対称となっている。なお、画素部１４ａにおいて走査信号線１１ａから下側に突出する分岐部はＴＦＴ１６ａのゲート電極となっており、画素部１４ｂにおいて走査信号線１１ｂから上側に突出する分岐部はＴＦＴ１６ｂのゲート電極となっている。
【００４５】
また、画素部１４ａに設けられた画素電極１５ａおよび、画素部１４ｂに設けられた画素電極１５ｂはそれぞれ、走査信号線１１ａ側に屈曲して走査信号線１１ａの分岐部と一部重なっている屈曲部分を有すると共に、走査信号線１１ｂ側に屈曲して走査信号線１１ｂの分岐部と一部重なっている屈曲部分を有しており、走査線方向と同一方向の中心線に対して線対称となっている。
【００４６】
この本実施形態の構成では、画素電極１５ａと走査信号線１１ａ，１１ｂとが重なっている面積および近接している長さは、Ｃｇｄ１２０側（走査信号線１１ａ側）とＣｇｄｏ１２１側（走査信号線１１ｂ側）とで等しくなり、また、画素電極１５ｂと走査信号線１１ａ，１１ｂとが重なっている面積および近接している長さは、Ｃｇｄ１２０側（走査信号線１１ｂ側）とＣｇｄｏ１２１側（走査信号線１１ａ側）とで等しくなる。
【００４７】
したがって、例えば図２（ａ）および図２（ｂ）に示す走査信号線１１ａ，１１ｂに対して画素電極１５ａ，１５ｂが左上方向にずれた場合に、データ信号線１１２ｂを挟んで両側に隣接する画素部１４ａ、１４ｂのうち、左側の画素部１４ａでは、容量Ｃｇｄ１２０は大きく、容量Ｃｇｄｏ１２１は小さくなり、また、右側の画素部１４ｂでは、容量Ｃｇｄｏ１２１は大きく、容量Ｃｇｄ１２０は小さくなるが、隣り合う画素部１４ａ，１４ｂにおいて、画素部１４ａの容量Ｃｇｄ１２０＋Ｃｇｄｏ１２１と、画素部１４ｂのＣｇｄ１２０＋Ｃｇｄｏ１２１とは等しくなる。
【００４８】
上記構成により、本実施形態の液晶表示装置１０の動作について説明する。
【００４９】
図３は、図１の液晶表示装置１０の動作タイミングを示す信号波形図である。
【００５０】
走査信号線１１（１１ａ，１１ｂ・・・）にはスキャンドライバ１０２から走査信号が順次出力される。図３（ａ）に示すように、まず、１本目の走査信号線１１ａに供給される走査信号１は、時刻ｔ１にＨレベルとなり、時刻ｔ２にＬレベルに戻る。したがって、１本目の走査信号線１１ａは、時刻ｔ１〜ｔ２の期間、Ｈレベルとなる。また、上記時刻ｔ１から垂直走査期間ＴＶ経過後の時刻ｔ７に、再度、走査信号１がＨレベルとなり、以下、垂直走査期間ＴＶ毎にこれを繰り返す。
【００５１】
図３（ｂ）に示すように、２本目の走査信号線１１ｂに供給される走査信号２は、上記走査信号１よりも水平走査期間ＴＨだけ遅れた時刻ｔ３にＨレベルとなり、時刻ｔ４にＬレベルに戻る。したがって、２本目の走査信号線１１ｂは、時刻ｔ３〜ｔ４の期間にＨレベルとなる。また、上記時刻ｔ３から垂直走査期間ＴＶ経過後の時刻ｔ９に、再度、走査信号がＨレベルとなり、以下、垂直走査期間ＴＶ毎にこれを繰り返す。同様に、３本目以降の走査信号線１１についても、順次、水平走査期間ＴＨずつ遅れた走査信号が、垂直走査期間ＴＶ毎に繰り返して供給される。
【００５２】
図３（ｃ）に示すように、対向電極１１７および補助容量信号線１１３には、対向電圧印加回路１０６によって、水平走査期間ＴＨ毎に反転すると共に、垂直走査期間ＴＶ毎に反転する対向信号が出力される。このように対向信号を交流駆動する理由は、図３（ｄ）に示すデータ信号の振幅を小さくするためである。
【００５３】
液晶パネル１０１Ａは、例えばノーマリホワイトモードでは、電圧が印加されないときに白表示が得られる。このため、映像信号反転回路１０４では、チューナ回路（図示せず）から供給される映像信号が、図３（ｄ）に示すように反転され、水平走査期間ＴＨ毎に反転すると共に、垂直走査期間ＴＶ毎に反転する映像信号が出力される。このように、映像信号を垂直走査期間ＴＶ毎に極性反転させる理由は、液晶を直流駆動すると寿命が短くなるためである。また、水平走査期間ＴＨ毎に極性反転させる理由は、フリッカを見えにくくするためである。さらに、図２（ａ）および図２（ｂ）に示すように、データ信号線１１２ｂを挟んで左右に隣接する画素部１４ａ，１４ｂにおいて、ＴＦＴ１６ａ，１６ｂの各ゲート電極をそれぞれ、上下に隣接する走査信号線１１ａ、１１ｂにそれぞれ接続して、画素部１４ａ，１４ｂが選択されるタイミングを水平走査期間ＴＨずらすことによって、隣接する画素部１４ａ，１４ｂに対して極性が反転された映像信号のデータ信号が供給され、さらにフリッカを見えにくくすることができる。
【００５４】
セグメントドライバ１０３では、映像信号反転回路１０４から供給された映像信号が、所定のサンプリングピッチにて水平走査期間ＴＨ毎に１水平走査線分サンプリングされ、次の水平走査期間ＴＨに、図３（ｄ）に示すようなデータ信号が各データ信号線１１２に出力される。このデータ信号は、対向信号に対して反対の極性を有する信号である。
【００５５】
上記走査信号が順次Ｈレベルとなると、そのＨレベルの走査信号が供給されている走査信号線１１と接続されているＴＦＴ１６が導通状態となり、データ信号線１１２に供給されている上記データ信号が、導通状態のＴＦＴ１６を介して各画素電極１５に供給される。これによって、図３（ｅ）および図３（ｆ）に示すように、各画素電極１５と対向電極１１７との間に挟持されている液晶容量Ｃｌｃに対して、画素電極１５の電圧と上記対向電極１１７との電圧差が印加される。
【００５６】
なお、水平走査期間ＴＨを経過してＴＦＴ１６が遮断（ＯＦＦ）状態となった後も、次の垂直走査期間ＴＶまでの間、図３（ｄ）に示すように、データ信号線１１２には、他の走査信号線１１に対してＴＦＴ１６を介して接続されている画素電極のためのデータ信号が順次出力されるが、図３（ｅ）および図３（ｆ）に示すように、一旦、ＴＦＴ１６が遮断状態となると、垂直走査期間ＴＶ後に再びＴＦＴ１６が導通状態となるまで、各画素部１４の画素容量を構成する液晶容量Ｃｌｃ１８（１８ａ，１８ｂ，・・）および補助容量Ｃｃｓ１９（１９ａ，１９ｂ，・・）などによって保持される。このため、図３（ｅ）および図３（ｆ）に示すように、各画素部１４ａ，１４ｂの液晶容量Ｃｌｃ１８ａ，１８ｂには、ＴＦＴ１６ａ，１６ｂが導通状態となっている水平走査期間ＴＨだけではなく、その後も、垂直走査期間ＴＶの全期間にわたって電圧が印加される。
【００５７】
この動作が、全ての走査信号線１１に対して行われ、１画面分の映像が画面表示される。
【００５８】
ここで、図２（ｂ）に示すように、画素電極１５ａと走査信号線１１ａ，１１ｂとの間に寄生容量Ｃｇｄ１２０およびＣｇｄｏ１２１が存在するため、ＴＦＴ１６ａが遮断（ＯＦＦ）状態であっても、対向信号（図３（ｃ））が変化すると、画素部１４ａの総容量と、寄生容量Ｃｇｄ１２０およびｃｇｄｏ１２１との比によって、図３（ｅ）に示すΔＶｇ２のように、液晶印加電圧１は変化する。これと同様に、図２（ｂ）に示すように、画素電極１５ｂと走査信号線１１ａ，１１ｂとの間に寄生容量Ｃｇｄｏ１２１およびＣｇｄ１２０が存在するため、対向信号（図３（ｃ））が変化すると、画素部１４ｂの総容量と、寄生容量Ｃｇｄｏ１２１およびｃｇｄ１２０との比によって、図３（ｆ）に示すΔＶｇ２のように、液晶印加電圧２は変化する。この引込み量ΔＶｇ２は、上記式（２）によって求められる。
【００５９】
図２（ａ）および図２（ｂ）に示す画素部１４ａ，１４ｂにおいて、走査信号線１１ａ，１１ｂに対して画素電極１４ａ，１４ｂが左上方向にずれた場合、データ信号線１１２ｂを挟んで両側に隣接する画素部１４ａ、１４ｂのうち、左側の画素部１４ａでは、容量Ｃｇｄ１２０は大きくなり、容量Ｃｇｄｏ１２１は小さくなる。また、右側の画素部１４ｂでは、容量Ｃｇｄｏ１２１は大きくなり、容量Ｃｇｄ１２０は小さくなる。
【００６０】
しかしながら、本実施形態の液晶表示装置１０では、画素電極１５ａにおいて走査信号線１１ａ、１１ｂと重なっている面積および近接している長さが、Ｃｇｄ１２０側とＣｇｄｏ１２１側とで同じであり、また、画素電極１５ｂにおいて走査信号線１１ａ、１１ｂと重なっている面積および近接している長さが、Ｃｇｄ１２０側とＣｇｄｏ１２１側とで同じであるため、走査信号線１１ａ、１１ｂに対して画素電極１５ａ、１５ｂがずれた場合でも、画素部１４ａと画素部１４ｂにおいて、走査信号線１１ａ、１１ｂと画素電極１５ａとの間の容量和Ｃｇｄ１２０＋Ｃｇｄｏ１２１と、走査信号線１１ａ、１１ｂと画素電極１５ｂとの間の容量和Ｃｇｄ１２０＋Ｃｇｄｏ１２１とは値が等しくなる。このため、走査信号線１１ａ、１１ｂに対して画素電極１５ａ，１５ｂがずれた場合でも、上記式（２）によって求められるΔＶｇ２の値が左右に隣り合う画素部１４ａ，１４ｂで等しくなり、液晶印加電圧についても同じになるため、従来技術において生じていたような表示不良は生じない。
【００６１】
なお、上記実施形態では、走査信号線方向の中心線に対して、走査信号線１１と画素電極１５とが共に線対称になっている構成について説明したが、走査信号線１１のみ、または画素電極１５のみが走査信号線方向の中心線に対して線対称になっている構成についても、走査信号線および画素電極が共に線対称になっていない従来の液晶表示装置に比べて、走査信号線１１と画素電極１５とがずれることによる表示不良を抑制することができる。
【００６２】
【発明の効果】
以上のように、本発明によれば、走査信号線および画素電極の少なくとも一方の形状を、走査信号線方向の中心線に対して線対称の形状とすることによって、各画素部において、上下の走査信号線と画素電極とが重なっている面積および近接している長さを等しく設定することができるため、走査信号線に対して画素電極がずれて形成された場合でも、データ信号線を挟んで隣接する各画素部において、走査信号線−画素電極間の容量が変化することを抑制することができる。その結果、スイッチング素子が遮断状態のときに、対向信号の変化により生じる液晶印加電圧の変動量（ΔＶｇ２）が、データ信号線を挟んで隣接する各画素部でほぼ等しくなり、従来技術のような市松模様の表示ムラを防いで高品質の表示画面を得ることができる。
【図面の簡単な説明】
【図１】本発明の液晶表示装置の一実施形態における概略構成を示すブロック図である。
【図２】（ａ）は、図１の液晶表示装置を構成する画素電極基板の隣接２画素分の構成を示す上面図、（ｂ）はその画素電極基板の隣接２画素分の構成を示す等価回路図である。
【図３】（ａ）〜（ｆ）はそれぞれ、図１の液晶表示装置の動作タイミングを説明するための信号波形図である。
【図４】従来のアクティブマトリクス型液晶表示装置の概略構成を示すブロック図である。
【図５】（ａ）は、図４の液晶表示装置を構成する画素電極基板の隣接２画素分の構成を示す上面図、（ｂ）はその画素電極基板の隣接２画素分の構成を示す等価回路図である。
【図６】（ａ）〜（ｆ）はそれぞれ、図４の液晶表示装置の動作タイミングを説明するための信号波形図である。
【符号の説明】
１０　　液晶表示装置
１１，１１ａ，１１ｂ　　走査信号線
１４，１４ａ，１４ｂ　　画素部
１５，１５ａ，１５ｂ　　画素電極
１６，１６ａ，１６ｂ　　ＴＦＴ（薄膜トランジスタ）
１０１Ａ　　液晶パネル
１０２　　スキャンドライバ
１０３　　セグメントドライバ
１０４　　映像信号反転回路
１０５　　タイミングコントロール回路
１０６　　対抗電圧印加回路
１１２，１１２ａ，１１２ｂ　　データ信号線
１１７　　対向電極
１２０，１２１　　走査信号線と画素電極間の容量
【図１】
2004046008.tif 000005
【図２】
2004046008.tif 000006
【図３】
2004046008.tif 000007
【図４】
2004046008.tif 000008
【図５】
2004046008.tif 000009
【図６】
2004046008.tif 000010